(57)【特許請求の範囲】
【請求項１】
自機のファクシミリ端末としての能力を相手機に伝えるためのデジタル識別信号のファクシミリ情報フィールドを、４バイトを超える信号長で構成し、相手機からの呼出時に、自機のデジタル識別信号を相手機が認識するまで、繰り返し送信する識別信号送信手段を備えたファクシミリ装置であって、
識別信号送信手段は、上記繰り返し回数が所定回数を超えたときに、上記デジタル識別信号に代えて、ファクシミリ情報フィールド長が短縮されたデジタル識別信号を、相手機に送信するように構成され、かつ、
ファクシミリ情報フィールド長が短縮される前のデジタル識別信号について、操作部から入力された、そのファクシミリ情報フィールドにおける上位からファクシミリ情報フィールド長が短縮される予定のデジタル識別信号に対応するバイト数目を、データ終端を示すものに書き換えることにより、ファクシミリ情報フィールド長が短縮されたデジタル識別信号を、このデジタル信号を送信する都度作成する短縮信号作成手段を備えていることを特徴とするファクシミリ装置。
【請求項２】
識別信号送信手段は、ファクシミリ情報フィールド長が段階的に短縮されたデジタル識別信号を順次に送信するものであることを特徴とする請求項１記載のファクシミリ装置。
【請求項３】
自機のファクシミリ端末としての能力を相手機に伝えるためのデジタル識別信号のファクシミリ情報フィールドを、４バイトを超える信号長で構成し、相手機からの呼出時に、自機のデジタル識別信号を相手機が認識するまで、繰り返し送信する識別信号送信手段としてファクシミリ装置を機能させるためのファクシミリ制御プログラムであって、
識別信号送信手段は、上記繰り返し回数が所定回数を超えたときに、上記デジタル識別信号に代えて、ファクシミリ情報フィールド長が短縮されたデジタル識別信号を、相手機に送信するように構成され、かつ、
ファクシミリ情報フィールド長が短縮される前のデジタル識別信号について、操作部から入力された、そのファクシミリ情報フィールドにおける上位からファクシミリ情報フィールド長が短縮される予定のデジタル識別信号に対応するバイト数目を、データ終端を示すものに書き換えることにより、ファクシミリ情報フィールド長が短縮されたデジタル識別信号を、このデジタル信号を送信する都度作成する短縮信号作成手段を備えていることを特徴とするファクシミリ制御プログラム。
【発明の詳細な説明】
【０００１】
【発明の属する技術分野】
本発明は、４バイトを超えるファクシミリ情報フィールド長を有するデジタル識別信号を相手機に送信可能なファクシミリ装置およびファクシミリ制御プログラムに関するものである。
【０００２】
【従来の技術】
従来、着呼時に自機がＤＩＳ（Digital Identification Signal）信号（デジタル識別信号）を送信する場合、使用されるモデムや通信速度等といった自機のファクシミリ端末としての能力に応じた固定のＦＩＦ（Facsimile Information Field）長（ファクシミリ情報フィールド長）でＤＩＳ信号を送信していた。
【０００３】
このＤＩＳ信号はＩＴＵ−Ｔの勧告で規定されているが、近年のファクシミリ装置の機能拡張に伴い、そのＦＩＦ長が初期の頃と比べてますます長くなってきている。例えば初期の頃のファクシミリ装置で使用されていたＤＩＳ信号のＦＩＦ長は４バイトであったが、近年のファクシミリ装置で使用されているＤＩＳ信号のＦＩＦ長は１０バイトにもなっている。
【０００４】
例えば図２（ａ）に示すように、ＤＩＳ信号は、フラグＦ、フラグＦ、アドレスＡ、制御フィールドＦＣＦ、ファクシミリ情報フィールドＦＩＦ、制御フィールドＦＣＦ、フラグＦからなるフォーマットで構成されているが、そのＤＩＳ信号のＦＩＦは、図２（ｂ）に示すように、１バイト目〜１０バイト目までの信号列によって、自機の有するファクシミリ機能の詳細内容を表すようになっている。
【０００５】
【発明が解決しようとする課題】
ところで、市場に存在する古いタイプのファクシミリ装置である相手機（ＦＩＦ長が４バイトの機械、以下４バイト機という。）から新しいタイプのファクシミリ装置である自機（ＦＩＦ長が１０バイトの機械、以下１０バイト機という。）に対して呼出があった場合、自機の送出するＤＩＳ信号のＦＩＦ長が相手機にとっては長すぎるため、相手機では異常な信号であるとして、そのＤＩＳ信号が無視されてしまうことがある。
【０００６】
この場合、通常のファクシミリ装置では、これから受信する相手機が４バイト機であるのか、あるいは、１０バイト機であるのかを予め認識することができないので、４バイト機から受信できるように、ＤＩＳ信号のＦＩＦ長を予め４バイトまで短縮しておくことが考えられる。
【０００７】
しかしながら、自機のＤＩＳ信号のＦＩＦ長を予め４バイトまで短縮しておいたのでは、相手機が１０バイト機であるときにも、自機のＤＩＳ信号のＦＩＦ長は４バイトでしか相手機に認識されないため、ＤＩＳ信号のＦＩＦ長の拡張で折角追加された機能がまったく発揮できなくなってしまう。
【０００８】
本発明は、上記事情に鑑みてなされたものであり、古いタイプの相手機に対して送受信を行えるとともに、新しいタイプの相手機に対しても自機の拡張機能を損なうことなく、常に良好な状態で送受信を行うことができるファクシミリ装置を提供することを目的とする。
【０００９】
【課題を解決するための手段】
請求項１に記載の発明は、自機のファクシミリ端末としての能力を相手機に伝えるためのデジタル識別信号のファクシミリ情報フィールドを、４バイトを超える信号長で構成し、相手機からの呼出時に、自機のデジタル識別信号を相手機が認識するまで、繰り返し送信する識別信号送信手段を備えたファクシミリ装置であって、識別信号送信手段は、上記繰り返し回数が所定回数を超えたときに、上記デジタル識別信号に代えて、ファクシミリ情報フィールド長が短縮されたデジタル識別信号を、相手機に送信するように構成され、かつ、ファクシミリ情報フィールド長が短縮される前のデジタル識別信号について、操作部から入力された、そのファクシミリ情報フィールドにおける上位からファクシミリ情報フィールド長が短縮される予定のデジタル識別信号に対応するバイト数目を、データ終端を示すものに書き換えることにより、ファクシミリ情報フィールド長が短縮されたデジタル識別信号を、このデジタル信号を送信する都度作成する短縮信号作成手段を備えていることを特徴とするものである。
【００１０】
請求項３に記載の発明は、自機のファクシミリ端末としての能力を相手機に伝えるためのデジタル識別信号のファクシミリ情報フィールドを、４バイトを超える信号長で構成し、相手機からの呼出時に、自機のデジタル識別信号を相手機が認識するまで、繰り返し送信する識別信号送信手段としてファクシミリ装置を機能させるためのファクシミリ制御プログラムであって、識別信号送信手段は、上記繰り返し回数が所定回数を超えたときに、上記デジタル識別信号に代えて、ファクシミリ情報フィールド長が短縮されたデジタル識別信号を、相手機に送信するように構成され、かつ、ファクシミリ情報フィールド長が短縮される前のデジタル識別信号について、操作部から入力された、そのファクシミリ情報フィールドにおける上位からファクシミリ情報フィールド長が短縮される予定のデジタル識別信号に対応するバイト数目を、データ終端を示すものに書き換えることにより、ファクシミリ情報フィールド長が短縮されたデジタル識別信号を、このデジタル信号を送信する都度作成する短縮信号作成手段を備えていることを特徴とするものである。
【００１１】
これらの構成によれば、自機のデジタル識別信号を相手機が認識するまで、この相手機に同デジタル識別信号が繰り返し送信され、送信回数が所定回数を超えたときに、ファクシミリ情報フィールド長が短縮されたデジタル識別信号が、相手機に送信されるので、自機のデジタル識別信号をそのファクシミリ情報フィールド長のままで認識できない古いタイプのファクシミリ装置である相手機に対しては、その相手機の認識できるファクシミリ情報フィールド長まで、そのファクシミリ情報フィールド長が短縮されたデジタル識別信号で送受信を行い、また、自機のデジタル識別信号をそのファクシミリ情報フィールド長のままで認識できる新しいタイプのファクシミリ装置である相手機に対しては、自機の有する最大長のファクシミリ情報フィールド長のデジタル識別信号で送受信を行うことにより、自機の拡張機能を損なうことなく、常に良好な状態で送受信を行うことができるようになる。
【００１２】
また、識別信号送信手段は、ファクシミリ情報フィールド長が短縮されたデジタル識別信号を、このデジタル信号を送信する都度作成する短縮信号作成手段を備えていることとすれば、相手機の認識できる自機のデジタル識別信号のファクシミリ情報フィールド長に合わせて自機のデジタル識別信号のファクシミリ情報フィールド長を予め短縮しておく必要がなくなるので、便利である。
【００１３】
請求項２記載の発明のように、識別信号送信手段は、ファクシミリ情報フィールド長が段階的に短縮されたデジタル識別信号を順次に送信するものであることとすれば、相手機の能力の範囲内ではあるが、自機の拡張機能による能力を最大限度まで発揮できるようになる。
【００１４】
【発明の実施の形態】
図１は、本発明の一実施形態に係るファクシミリ装置の概略構成を示す機能ブロック図である。
【００１５】
図１に示すように、自機としてのファクシミリ装置１は、画像読取部２、画像記録部３、画像メモリ４、操作部５、表示部６、通信処理部７及び制御部８を備えている。そして、このファクシミリ装置１は、電話回線９を介して他のファクシミリ装置（以下、相手機という）１０に接続されている。
【００１６】
画像読取部２は、相手機１０に送信すべき原稿を読み取るものである。画像読取部２は、セットされた原稿を自動給送する自動原稿給送部、ＣＣＤ（Charge Coupled Device）ラインイメージセンサからなる撮像部及び画像処理部を有し、撮像部が原稿面を相対的に走査するように原稿を自動給送して当該原稿をライン単位で画像信号に変換して取り込み、この画像信号に所定の信号処理（レベル補正、γ補正、Ａ／Ｄ変換等）を施して順次、制御部８に出力する。
【００１７】
画像記録部３は、画像読取部２で読み取られた画像データや電話回線９を介して相手機１０から送信された画像データ（以下、受信画像データという。）を用紙に記録するものである。画像記録部３は、例えばレーザプリンタからなり、画像データで変調されたレーザ光を感光体に照射して当該画像データからなる画像の潜像を形成するとともに、この潜像にトナーを静電的に付着して顕在化し、この顕像を用紙に転写して画像を形成する。
【００１８】
画像メモリ４は、画像データ及び受信画像データを記憶するメモリで、例えばＡ４サイズの標準原稿が略１００枚程度記憶可能な大容量メモリである。
【００１９】
操作部５は、ファクシミリ装置１による画像データの送信処理を行うための各種の入力操作（画像データの送信先の情報（ＦＡＸＮｏ．等）の入力、ファクシミリ送信の開始／停止の指示、ワンタッチキー又は短縮Ｎｏ．の登録及び通信モード等の各種のモードや条件の設定（詳しくは、後述するデジタル識別信号の送信回数の設定やそのデジタル識別信号のファクシミリ情報フィールド長の設定を含む。））を行うものである。操作部５は、テンキー、ワンタッチキー等の各種キースイッチを有するとともに、ファクシミリ送信処理等の処理の開始を指示するスタートキー５１を備えている。
【００２０】
表示部６は、ＬＣＤ（Liquid Crystal Display）及びＬＥＤ（Light Emitted Diode）から構成され、回線接続状態、送信状態及び相手機１０との通信状態等の各種状態や画像データの送信先の情報（ＦＡＸＮｏ．）等を文字情報でＬＣＤ表示するとともに、通信エラーの有無、設定モード、受信画質、メモリ受信及びメンテナンスの要否等をＬＥＤで表示するものである。
【００２１】
通信処理部７は、デジタル識別信号や画像データの送受信処理等を行うものである。通信処理部７は、符号化／復号化部７１、変復調部７２及び網制御部７３を有する。符号化／復号化部７１は、ファクシミリ送信すべき画像データの圧縮及び符号化を行うとともに、ファクシミリ受信した画像データの伸長及び復号化を行うものである。変復調部７２は、圧縮／符号化された画像データの音声信号への変調及びファクシミリ受信した信号（音声信号）の画像データへの復調を行なうものである。網制御部７３は、ＮＣＵ（Network Control Unit）に相当し、相手機１０との電話回線９の接続を制御するものである。
【００２２】
制御部８は、マイクロコンピュータからなり、上記各部２〜７の動作を制御してファクシミリ装置１のファクシミリ機能を制御するものである。なお、この制御部８は、ファクシミリ装置１による画像データの送受信処理を行うための処理手順を行うための通信プログラムや各種の処理用データが記録されたＲＯＭ（Read Only Memory）と、上記処理プログラムに従って所定の演算処理を行うためのＲＡＭ（Random Access Memory）とを有する。
【００２３】
以上の構成に加えて、本発明に係るファクシミリ装置１の制御部８は、図１に示すように、自機のファクシミリ端末としての能力を相手機１０に伝えるためのＤＩＳ信号（デジタル識別信号）を、４バイトを超えるＦＩＦ（ファクシミリ情報フィールド）長で構成し、相手機１０からの呼出時にこのＤＩＳ信号を相手機１０に送信する識別信号送信手段８１と、所定のタイミングでこのＤＩＳ信号のＦＩＦ長を短縮する信号長短縮手段８２とを備え、識別信号送信手段８１は、信号長短縮手段８２によってＦＩＦ長が短縮されたＤＩＳ信号を、上記相手機１０に再度送信するようになっている。ＤＩＳ信号の構成は、例えば図２（ａ）に示した通りであり、そのＤＩＳ信号のＦＩＦの構成は、例えば図２（ｂ）に示した通りである。
【００２４】
識別信号送信手段８１は、ＤＩＳ信号を相手機１０が認識するまで、この相手機１０に同ＤＩＳ信号を繰り返し送信するものであって、識別信号送信手段８１は、上記繰り返し回数（所定回数）を設定するための送信回数設定手段８１１を備えている。
【００２５】
送信回数設定手段８１１は、操作部５上で任意の数値を入力することにより上記所定回数を設定することができる。
【００２６】
この送信回数設定手段８１１を設けることによって、繰り返し回数を、例えば電話回線中の雑音等による影響などを考慮して任意に設定できるようになるので便利である。また、この影響がない範囲で繰り返し回数を少なめに設定しておけば、古いタイプのファクシミリ装置である４バイト機等は早めに認識できて、効率的な送受信を行うことができるようになる。
【００２７】
信号長短縮手段８２は、識別信号送信手段８１による繰り返し回数が例えば３回を超えたときに、ＤＩＳ信号のＦＩＦ長を所定長まで短縮するものであって、信号長短縮手段８２は、上記所定長を設定するための信号長設定手段８２１を備えている。
【００２８】
信号長設定手段８２１は、操作部５上で任意の数値を入力することにより、上記ＤＩＳ信号のＦＩＦ長を、例えば図２（ｂ）に示したような１０バイトから、例えば図２（ｃ）に示すような４バイトまで短縮する、短縮信号作成手段として機能する。この際、１０バイトのＦＩＦの上位から４バイト目の最終ビットをデータ終端を示すものに書き換えるなどすることにより４バイトのＦＩＦを作るか、あるいは、予めＲＯＭに記憶させておいた各種ＦＩＦ（例えば８，６，４バイトのＦＩＦ）から任意に選択しそれをＤＩＳ信号に組み込むようにしてもよい。
【００２９】
この信号長設定手段８２１を設けることによって、ＦＩＦ長を実情に応じて任意に設定できるようになるので便利である。例えば最も古いファクシミリ装置である４バイト機が市場においてまったくみられなくなってきた場合には、つぎの古いファクシミリ装置である６バイト機に対応できるようにＦＩＦ長を設定しなおすことができる。これらの各手段により本発明の特徴部分であるファクシミリ機能を発揮するようになっている。
【００３０】
そして、制御部８は、ＩＴＵ−Ｔ勧告Ｔ．３０の通信プロトコルに従って相手機１０との間で、直ちにあるいは予約された時刻に通信を開始するように制御する。
【００３１】
図３は本ファクシミリ装置の受信時における動作を示すフローチャート、図４は相手機とのファクシミリ通信手順を示す説明図である。以下、図３及び図４を参照しつつ、本ファクシミリ装置１を自機として、相手機（ＦＩＦ長が１０バイトのＤＩＳ信号を異常信号として、無視するファクシミリ装置）１０Ａからファクシミリ受信を行う場合について説明する。なお、本ファクシミリ装置１から相手機１０Ａへファクシミリ送信を行う場合については、通常の送信手順となるので、その説明を省略する。
【００３２】
図３において、ファクシミリ装置１の電源が投入されると、まず初期設定がなされる（ステップＳ１）。この初期設定においては、ＲＯＭから各種プログラムが制御部８に読み込まれて、各手段８１,８１１，８２，８２１が仮想的に構築されるとともに、ＲＡＭには各種デフォルト値が設定される。例えばファクシミリ措置１のＤＩＳ信号の最大ＦＩＦ長（Ｌ０＝１０バイト）などである。
【００３３】
ついで、識別信号送信手段８１の送信回数設定手段８１１によって、ＤＩＳ信号の最大繰り返し回数（Ｎ０）の設定がなされる（ステップＳ２）。ここでは、例えばＮ０＝３（回）と設定する。また、信号長短縮手段８２の信号長設定手段８２１によって、ＤＩＳ信号の短縮後のＦＩＦ長（Ｌ）の設定がなされる（ステップＳ４）。ここでは、例えばＬ＝４（バイト）と設定する。
【００３４】
ついで、相手機１０Ａからの呼出があるまで待機する（ステップＳ５）。そして、呼出があれば（ステップＳ５においてＹＥＳ）、図４の最上段に示すように、自機から相手機１０Ａに向けてＣＥＤ（Called Station Identification）信号を送信する（ステップＳ６）。ＣＥＤ信号は自機がファクシミリ装置であり、受信状態になったことを相手機１０Ａに知らせるための信号である。
【００３５】
Ｎをリセットして０とし（ステップＳ７）、Ｎを１だけインクリメントした上で（ステップＳ８）、ＮがＮ０を超えたか否かを判定する（ステップＳ９）。最初はＮが１であるのに対しＮ０は３であるので、超えていないと判定される（ステップＳ９でＮＯ）。
【００３６】
すると、図４の次の段に示すように、識別信号送信手段８２の働きにより、自機から相手機１０Ａに向けてＦＩＦ長が１０バイトのＤＩＳ信号を送信し（ステップＳ１１）、ＤＣＳ（Digital Command Signal）信号（デジタル命令信号）を受信したか否かを判定する（ステップＳ１２）。ＤＣＳ信号は、相手機１０ＡがＤＩＳ信号を認識したことを受信側である自機に知らせるとともに、その送信時にどのような送信条件（モデムスピード、Ｉ／Ｏスピード、原稿幅等）で送信するかを知らせるための信号である。ここでは、相手機１０Ａは、ＤＩＳ信号のＦＩＦ長が１０バイトであるため、図４上の×印で示すように、このＤＩＳ信号を無視している（ステップＳ１２でＮＯ）。
【００３７】
すると、上記ステップＳ８に戻り、ＮをインクリメントしてＮ＝２とし、ＮがＮ０を超えたか否かを判定する（ステップＳ９）。Ｎが２であるのに対しＮ０は３であるので、超えていないと判定される（ステップＳ９でＮＯ）。そして、図４のその次の段に示すように、ＦＩＦ長が１０バイトのＤＩＳ信号を再度送信する（ステップＳ１１）。このときも、相手機１０Ａは、ＤＩＳ信号のＦＩＦ長が１０バイトであるため、図４上の×印で示すように、このＤＩＳ信号を無視している（ステップＳ１２でＮＯ）。
【００３８】
すると、上記ステップＳ８に戻り、ＮをインクリメントしてＮ＝３とし、ＮがＮ０を超えたか否かを判定する（ステップＳ９）。Ｎが３であるのに対しＮ０は３であるので、超えていないと判定される（ステップＳ９でＮＯ）。そして、図４のその次の段に示すように、ＦＩＦ長が１０バイトのＤＩＳ信号を再度送信する（ステップＳ１１）。このときも、相手機１０Ａは、ＤＩＳ信号のＦＩＦ長が１０バイトであるため、図４上の×印で示すように、このＤＩＳ信号を無視している（ステップＳ１２でＮＯ）。
【００３９】
すると、上記ステップＳ８に戻り、ＮをインクリメントしてＮ＝４とし、ＮがＮ０を超えたか否かを判定する（ステップＳ９）。こんどは、Ｎが４であるのに対しＮ０は３であるので、超えていると判定される（ステップＳ９でＹＥＳ）。
【００４０】
このときは、信号長短縮手段８２の働きにより、ＦＩＦ長の初期値Ｌ０（１０バイト）を、設定値Ｌ（４バイト）とし（ステップＳ１０）、上記ステップＳ７に戻る。ここで、Ｎをリセットして０とし、Ｎを１だけインクリメントした上で（ステップＳ８）、ＮがＮ０を超えたか否かを判定する（ステップＳ９）。Ｎが１であるのに対しＮ０は３であるので、超えていないと判定される（ステップＳ９でＮＯ）。
【００４１】
そして、図４のその次の段に示すように、ＦＩＦ長が４バイトのＤＩＳ信号を送信する（ステップＳ１１）。このときには、相手機１０Ａは、ＤＩＳ信号のＦＩＦ長が４バイトであるため、このＤＩＳ信号を認識したとして、相手機１０ＡからのＤＣＳ信号が送信され、自機はこれを受信する（ステップＳ１２でＹＥＳ）。
【００４２】
ついで、図４のその次の段以降に示すように、相手機１０ＡからのＴＣＦ（Training Check）信号（トレーニングチェック用信号）を受信する（ステップＳ１３）。これに応答して自機から相手機１０ＡにＣＦＲ（Confirmation to Receive）信号（受信準備信号）を送信すると（ステップＳ１４）、相手機１０Ａからの送信画像データを内容とするＦＡＸＭＳＧ（Facsimile Massage）信号（ファックスメッセージ信号）が送信されてくるので、これを受信する（ステップＳ１５）。全ての画像データを受信すると、相手機１０ＡからのＥＯＰ（End of Procedure）信号（手順終了信号）を受信し（ステップＳ１６）、このＥＯＰ信号に応答して自機から送信したＭＣＦ（Message Confirmation）信号（メッセージ確認信号）を相手機１０Ａが受信すると（ステップＳ１７）、更に相手機１０ＡからＤＣＮ（Disconnect）信号（切断命令信号）が送信されてくる（ステップＳ１８）。この受信によって自機と相手機１０Ａとの間での通信処理がすべて終了する。
【００４３】
この場合、相手機１０Ａは、自機が送信した最初の３回の信号は、ＦＩＦ長が１０バイトであるため、無視しているが、４回目以降に自機が送出するＤＩＳ信号は４バイトであるため、正常なＤＩＳ信号と認識してファクシミリ通信が成立している。
【００４４】
図５は本ファクシミリ装置と他の相手機とのファクシミリ通信手順を示す。以下、図３及び図５を参照しつつ、本ファクシミリ装置１を自機として、相手機（ＦＩＦ長が１０バイトのＤＩＳ信号を正常なＤＩＳ信号と認識できるファクシミリ装置）１０Ｂからファクシミリ受信を行う場合について説明する。なお、本ファクシミリ装置１から相手機１０Ｂへファクシミリ送信を行う場合については、通常の送信手順となるので、その説明を省略する。
【００４５】
図３において、ファクシミリ装置１の電源が投入されると、上記ステップＳ１〜ステップＳ４が実行され、相手機１０Ａからの呼出があるまで待機するようになる（ステップＳ５）。そして、呼出があれば（ステップＳ５においてＹＥＳ）、図５の最上段に示すように、自機から相手機１０Ｂに向けてＣＥＤ信号を送信する（ステップＳ６）。
【００４６】
Ｎをリセットして０とし（ステップＳ７）、Ｎを１だけインクリメントした上で（ステップＳ８）、ＮがＮ０を超えたか否かを判定する（ステップＳ９）。最初はＮが１であるのに対しＮ０は３であるので、超えていないと判定される（ステップＳ９でＮＯ）。
【００４７】
すると、図５の次の段に示すように、識別信号送信手段８１の働きにより、自機から相手機１０Ｂに向けてＦＩＦ長が１０バイトのＤＩＳ信号を送信し（ステップＳ１１）、ついでＤＣＳ信号を受信したか否かを判定する（ステップＳ１２）。ここでは、相手機１０Ｂは、ＤＩＳ信号のＦＩＦ長が１０バイトであるので、図５上のその次の段に示すように、このＤＩＳ信号を認識したとして、相手機１０ＢからのＤＣＳ信号が送信され、自機はこれを受信する（ステップＳ１２でＹＥＳ）。
【００４８】
ついで、図５上のその次の段に示すように、相手機１０ＢからのＴＣＦ信号を受信する（ステップＳ１３）。以下、上記ステップＳ１４〜Ｓ１８が実行されて、相手機１０Ｂの通信処理がすべて終了する。
【００４９】
この場合、相手機１０Ｂは、自機が送信した最初のＤＩＳ信号を正常なＤＩＳ信号と認識してファクシミリ送信が成立するため、ＤＩＳ信号のＦＩＦの拡張により追加された機能を使用できるようになる。
【００５０】
以上説明したように、この実施形態によれば、本ファクシミリ装置１からのＤＩＳ信号を相手機１０（１０Ａ，１０Ｂ）が認識するまで、この相手機１０に同ＤＩＳ信号が繰り返し送信され、繰り返し回数が所定回数を超えたときに、上記ＤＩＳ信号のＦＩＦ長が所定長に短縮されるとともに、このＦＩＦ長を短縮したＤＩＳ信号が、上記相手機１０に再度送信されるので、これから受信する相手機１０が４バイト機であるのか、あるいは、１０バイト機であるのかを予め認識することができない場合であっても、ＤＩＳ信号のＦＩＦ長を予め短縮しておく必要がなくなる。したがって、相手機１０が１０バイト機であるときにも、ＤＩＳ信号のＦＩＦ長の拡張機能を損なうことがなくなり、常に好適な状態での送受信が行えるようになる。その結果、市場に存在する古いタイプファクシミリ装置からでも、自機の機能を犠牲にすることなく、受信することができるようになる。
【００５１】
なお、上記実施形態では、送信回数設定手段８１１は、繰り返し回数（Ｎ０）をステップＳ２で設定しているが、この繰り返し回数については、ＤＩＳ信号の送信前であれば、任意のステップで設定するようにしてもよい。また、この送信回数設定手段８１１を設けることなく、繰り返し回数を例えば３回に固定して、装置構成をより簡単化することもできる。
【００５２】
また、上記実施形態では、信号長設定手段８２１は、ＤＩＳ信号の短縮後のＦＩＦ長（Ｌ）をステップＳ４で設定しているが、ＤＩＳ信号の送信前後の任意のステップで設定するようにしてもよい。また、信号長設定手段８２１を設けることなく、ＤＩＳ信号のＦＩＦ長を例えば４バイトに固定して、装置構成をより簡単化することもできる。
【００５３】
また、上記実施形態では、信号長設定手段８２１は、ＤＩＳ信号の短縮後のＦＩＦ長（Ｌ）をステップＳ４で１回だけ設定しているが、ステップＳ１１で再送信する度にバイト数を例えば１０→８→６→４といったように２バイト刻みで段階的に短縮していけば、相手機１０の能力の範囲内ではあるが、自機の拡張機能による能力を最大限度まで発揮できるようになる。ただし、この短縮のピッチは、必ずしも等間隔で行う必要はなく、また、最初のバイト数および最後のバイト数はいずれも任意に設定することができる。
【００５４】
また、上記実施形態では、ＤＩＳ信号の送信時に、ＮＳＦ（Non-Standard Facilities）信号、ＣＳＩ（Called Subscriber Identification）信号等を送信することもできるが、これらを送信しないようにして装置構成をさらに簡単化することにより、安全確実な通信処理が可能となる。
【００５５】
また、上記実施形態では、ファクシミリ装置１について説明したが、本発明は、例えばファクシミリとコピー機やプリンタとを組み合わせた、いわゆるファクシミリ機能付きのデジタル複合機など他の画像形成装置に適用してもよいのはもちろんである。
【００５６】
【発明の効果】
請求項１，３記載の発明によれば、自機のデジタル識別信号をそのファクシミリ情報フィールド長のままで認識できない古いタイプのファクシミリ装置である相手機に対しては、その相手機の認識できるファクシミリ情報フィールド長まで、そのファクシミリ情報フィールド長が短縮されたデジタル識別信号で送受信を行い、また、自機のデジタル識別信号をそのファクシミリ情報フィールド長のままで認識できる新しいタイプのファクシミリ装置である相手機に対しては、自機の有する最大長のファクシミリ情報フィールド長のデジタル識別信号で送受信を行うことにより、自機の拡張機能を損なうことなく、常に良好な状態で送受信を行うことができる。
【００５７】
また、識別信号送信手段は、ファクシミリ情報フィールド長が短縮されたデジタル識別信号を、このデジタル信号を送信する都度作成する短縮信号作成手段を備えていることとすれば、相手機の認識できる自機のデジタル識別信号のファクシミリ情報フィールド長に合わせて自機のデジタル識別信号のファクシミリ情報フィールド長を予め短縮しておく必要がなくなるので、便利である。
【００５８】
請求項２記載の発明のように、識別信号送信手段は、ファクシミリ情報フィールド長が段階的に短縮されたデジタル識別信号を順次に送信するものであることとすれば、相手機の能力の範囲内ではあるが、自機の拡張機能による能力を最大限度まで発揮できる。
【図面の簡単な説明】
【図１】  本発明の一実施形態に係るファクシミリ装置の概略構成を示す機能ブロック図である。
【図２】  本ファクシミリ装置の送信するＤＩＳ信号のフォーマットの概念を示す説明図であって、（ａ）はＤＩＳ信号の全体を示す図、（ｂ）はその短縮前のＦＩＦ部分を示す図、（ｃ）はその短縮後のＦＩＦ部分を示す図である。
【図３】  本ファクシミリ装置の受信時における動作を示すフローチャートである。
【図４】  本ファクシミリ装置と相手機との間でのファクシミリ通信手順を示す説明図である。
【図５】  本ファクシミリ装置と他の相手機との間でのファクシミリ送信手順を示す説明図である。
【符号の説明】
１      ファクシミリ装置（自機）
８      制御部
１０（１０Ａ，１０Ｂ）    相手機
８１    識別信号送信手段
８１１  送信回数設定手段
８２    信号長短縮手段（短縮信号作成手段）
８２１  信号長設定手段
【図１】
0003964700.tif 000002
【図２】
0003964700.tif 000003
【図３】
0003964700.tif 000004
【図４】
0003964700.tif 000005
【図５】
0003964700.tif 000006